(57)【特許請求の範囲】
【請求項１】
エレベーターの乗場に設けられたカメラと、
前記乗場に停止する第１かごを制御する第１制御装置と、
前記乗場に停止する第２かごを制御する第２制御装置と、
前記カメラによって撮影された画像に基づいて、発熱している第１利用者が前記乗場にいることを検出する第１検出手段と、
前記カメラによって撮影された画像に基づいて、前記第１利用者以外の第２利用者が前記乗場にいることを検出する第２検出手段と、
前記乗場からの呼びが登録されると、隔離条件が成立するか否かを判定する判定手段と、
前記隔離条件が成立することを前記判定手段が判定すると、前記第１利用者を運ぶための第１運転指令を前記第１制御装置に対して出力し、前記第２利用者を運ぶための第２運転指令を前記第２制御装置に対して出力する運転指令手段と、
を備え、
前記隔離条件は、前記第１利用者が前記乗場にいることを前記第１検出手段が検出し且つ前記第２利用者が前記乗場にいることを前記第２検出手段が検出すると成立するエレベーターシステム。
【請求項２】
前記乗場に設けられた報知器と、
前記隔離条件が成立することを前記判定手段が判定すると、前記第１利用者が前記第１かごに乗るための案内を前記報知器から報知させる報知制御手段と、
を更に備えた請求項１に記載のエレベーターシステム。
【請求項３】
前記第１制御装置は、前記運転指令手段から前記第１運転指令が入力されると、前記乗場から目的階への直行運転を行う請求項１又は請求項２に記載のエレベーターシステム。
【請求項４】
前記第１制御装置は、前記直行運転において前記目的階でドアを開閉した後、前記第１かご内を除菌するための除菌動作を行う請求項３に記載のエレベーターシステム。
【請求項５】
エレベーターの乗場に設けられたカメラと、
前記乗場に停止するかごと、
前記乗場に設けられた報知器と、
前記カメラによって撮影された画像に基づいて、発熱している第１利用者が前記乗場にいることを検出する第１検出手段と、
前記カメラによって撮影された画像に基づいて、前記第１利用者以外の第２利用者が前記乗場にいることを検出する第２検出手段と、
前記乗場からの呼びが登録されると、隔離条件が成立するか否かを判定する判定手段と、
前記隔離条件が成立することを前記判定手段が判定すると、前記かごで前記第１利用者を運ぶための第１運転と前記かごで前記第２利用者を運ぶための第２運転とを行う運転制御手段と、
前記隔離条件が成立することを前記判定手段が判定すると、前記第１運転が行われている時に前記第１利用者が前記かごに乗るための案内を、前記報知器から報知させる報知制御手段と、
を備え、
前記隔離条件は、前記第１利用者が前記乗場にいることを前記第１検出手段が検出し且つ前記第２利用者が前記乗場にいることを前記第２検出手段が検出すると成立するエレベーターシステム。
【請求項６】
前記運転制御手段は、前記第１運転において、前記乗場から目的階への直行運転を行う請求項５に記載のエレベーターシステム。
【請求項７】
前記運転制御手段は、前記直行運転において前記目的階でドアを開閉した後、前記かご内を除菌するための除菌動作を行う請求項６に記載のエレベーターシステム。
【発明の詳細な説明】
【技術分野】
【０００１】
この発明は、エレベーターシステムに関する。
【背景技術】
【０００２】
特許文献１に、エレベーターシステムが記載されている。特許文献１に記載されたシステムでは、利用者の身体障害に応じて、かごが乗場に到着する時間が調整される。また、ドアの開放時間が調整される。
【先行技術文献】
【特許文献】
【０００３】
【特許文献１】日本特開２０１５−２２４１３２号公報
【発明の概要】
【発明が解決しようとする課題】
【０００４】
エレベーターは、様々な人によって利用される。例えば、インフルエンザを発症している人がエレベーターを利用することもある。かかる場合は、この利用者と一緒にかごに乗っている他の利用者にインフルエンザが感染してしまう恐れがある。特許文献１に記載されたシステムでは、このような問題を解決することはできなかった。【０００５】
この発明は、上述のような課題を解決するためになされた。この発明の目的は、かご内でのインフルエンザ等の感染を予防することができるエレベーターシステムを提供することである。
【課題を解決するための手段】
【０００６】
この発明に係るエレベーターシステムは、エレベーターの乗場に設けられたカメラと、乗場に停止する第１かごを制御する第１制御装置と、乗場に停止する第２かごを制御する第２制御装置と、カメラによって撮影された画像に基づいて、発熱している第１利用者が乗場にいることを検出する第１検出手段と、カメラによって撮影された画像に基づいて、第１利用者以外の第２利用者が乗場にいることを検出する第２検出手段と、乗場からの呼びが登録されると、隔離条件が成立するか否かを判定する判定手段と、隔離条件が成立することを判定手段が判定すると、第１利用者を運ぶための第１運転指令を第１制御装置に対して出力し、第２利用者を運ぶための第２運転指令を第２制御装置に対して出力する運転指令手段と、を備える。隔離条件は、第１利用者が乗場にいることを第１検出手段が検出し且つ第２利用者が乗場にいることを第２検出手段が検出すると成立する。
【０００７】
この発明に係るエレベーターシステムは、エレベーターの乗場に設けられたカメラと、乗場に停止するかごと、乗場に設けられた報知器と、カメラによって撮影された画像に基づいて、発熱している第１利用者が乗場にいることを検出する第１検出手段と、カメラによって撮影された画像に基づいて、第１利用者以外の第２利用者が乗場にいることを検出する第２検出手段と、乗場からの呼びが登録されると、隔離条件が成立するか否かを判定する判定手段と、隔離条件が成立することを判定手段が判定すると、かごで第１利用者を運ぶための第１運転とかごで第２利用者を運ぶための第２運転とを行う運転制御手段と、隔離条件が成立することを判定手段が判定すると、第１運転が行われている時に第１利用者がかごに乗るための案内を、報知器から報知させる報知制御手段と、を備える。隔離条件は、第１利用者が乗場にいることを第１検出手段が検出し且つ第２利用者が乗場にいることを第２検出手段が検出すると成立する。
【発明の効果】
【０００８】
この発明によれば、かご内でのインフルエンザ等の感染を予防することができる。
【図面の簡単な説明】
【０００９】
【図１】実施の形態１におけるエレベーターシステムの例を示す図である。
【図２】かごが停止するエレベーターの乗場の例を示す図である。
【図３】監視装置の動作例を示すフローチャートである。
【図４】群管理装置の動作例を示すフローチャートである。
【図５】第１運転指令を受けた制御装置の動作例を示すフローチャートである。
【図６】実施の形態１におけるエレベーターシステムの他の例を示す図である。
【図７】制御装置の動作例を示すフローチャートである。
【図８】監視装置のハードウェア資源の例を示す図である。
【図９】監視装置のハードウェア資源の他の例を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、実施の形態１におけるエレベーターシステム１の例を示す図である。エレベーターシステム１は、監視装置２、及び群管理装置３を備える。
【００１２】
群管理装置３は、複数のエレベーター装置４を一群として管理する。本実施の形態では、最も簡単な例として、エレベーターシステム１が２台のエレベーター装置４を備える例を示す。例えば、群管理装置３は、図１に示すようにＡ号機とＢ号機とを管理する。Ａ号機とＢ号機とは、同じ建物に備えられる。群管理装置３は、３台以上のエレベーター装置４を管理しても良い。
【００１３】
各エレベーター装置４は、かご５、駆動装置６、及び制御装置７を備える。かご５は、昇降路を上下に移動する。駆動装置６は、かご５を駆動する。制御装置７は、駆動装置６を制御する。即ち、かご５の移動は、制御装置７によって制御される。また、制御装置７は、かご５に備えられた機器を制御する。
【００１４】
例えば、かご５に、ドア８、モータ９、送風機１０、及び除菌装置１１が備えられる。ドア８は、モータ９によって駆動される。送風機１０は、かご５内に空気を取り込むための気流を発生させる。除菌装置１１は、かご５内を除菌するための装置である。例えば、除菌装置１１が動作すると、除菌のための薬剤がかご５内に放出される。モータ９、送風機１０、及び除菌装置１１は、制御装置７によって制御される。
【００１５】
以下の説明では、エレベーター装置４に備えられた要素を号機別に区別する必要がある場合に、各要素を表す符号にＡ或いはＢを付す。例えば、Ａ号機には、かご５Ａ、駆動装置６Ａ、及び制御装置７Ａが備えられる。Ｂ号機には、かご５Ｂ、駆動装置６Ｂ、及び制御装置７Ｂが備えられる。
【００１６】
図２は、かご５が停止するエレベーターの乗場１２の例を示す図である。本実施の形態に示す例では、かご５Ａ及びかご５Ｂの双方が乗場１２に停止する。例えば、図２に示す乗場１２は、建物の１階の乗場である。乗場１２に、カメラ１３、操作盤１４、及び報知器１５が設けられる。
【００１７】
カメラ１３は、例えばサーモグラフィカメラである。カメラ１３によって撮影された画像には、温度情報が含まれる。カメラ１３によって撮影された画像の情報は、監視装置２に入力される。例えば、カメラ１３は、かご５が停止する全ての階の乗場に設けられる。カメラ１３は、かご５が停止する一部の階の乗場に設けられても良い。
【００１８】
操作盤１４は、利用者が呼びの登録要求を入力するための装置である。例えば、操作盤１４は、上ボタン及び下ボタンを備える。上ボタン或いは下ボタンが押されると、操作盤１４から呼びの登録要求が出力される。操作盤１４からの登録要求は、群管理装置３に入力される。操作盤１４は、かご５が停止する全ての階の乗場に設けられる。
【００１９】
報知器１５は、乗場１２にいる利用者に情報を提供するための装置である。例えば、報知器１５は、表示器である。報知器１５は、スピーカでも良い。表示器及びスピーカの双方が報知器１５として乗場１２に設けられても良い。例えば、報知器１５は、かご５が停止する全ての階の乗場に設けられる。報知器１５は、かご５が停止する一部の階の乗場に設けられても良い。
【００２０】
監視装置２は、画像解析部２０、検出部２１、検出部２２、及び信号出力部２３を備える。監視装置２は、外部と通信する機能を備えても良い。例えば、監視装置２は、特定のネットワークを介して外部の監視センターと通信する。群管理装置３は、呼び登録部３０、判定部３１、運転指令部３２、及び報知制御部３３を備える。以下に、図３から図５も参照し、エレベーターシステム１が有する機能について詳しく説明する。
【００２１】
図３は、監視装置２の動作例を示すフローチャートである。上述したように、カメラ１３によって撮影された画像の情報は、監視装置２に入力される。カメラ１３によって撮影された画像は、画像解析部２０によって解析される（Ｓ１０１）。画像解析部２０が画像を解析する方法は、後述する検出部２１による検出及び検出部２２による検出が可能であれば、如何なる方法でも構わない。
【００２２】
検出部２１は、発熱している利用者が乗場１２にいるか否かを判定する（Ｓ１０２）。一例として、体温が３７．５度以上ある利用者が、発熱している利用者と特定される。以下においては、発熱している利用者のことを「第１利用者」とも表記する。検出部２１は、カメラ１３によって撮影された画像に基づいて、乗場１２に第１利用者がいることを検出する。
【００２３】
検出部２２は、第１利用者以外の利用者が乗場１２にいるか否かを判定する（Ｓ１０３）。以下においては、発熱している利用者以外の利用者のことを「第２利用者」とも表記する。検出部２２は、カメラ１３によって撮影された画像に基づいて、乗場１２に第２利用者がいることを検出する。
【００２４】
信号出力部２３は、検出部２１の検出結果と検出部２２の検出結果とに応じて、乗場１２の利用者状況を示す信号を群管理装置３に出力する。例えば、信号出力部２３は、Ｓ１０３でＹｅｓと判定されると、群管理装置３に対して第１信号を出力する（Ｓ１０４）。即ち、信号出力部２３は、第１利用者が乗場１２にいることを検出部２１が検出し且つ第２利用者が乗場１２にいることを検出部２２が検出すると、第１信号を出力する。
【００２５】
信号出力部２３は、Ｓ１０３でＮｏと判定されると、群管理装置３に対して第２信号を出力する（Ｓ１０５）。即ち、信号出力部２３は、第１利用者が乗場１２にいることを検出部２１が検出し且つ第２利用者が乗場１２にいることを検出部２２が検出しなければ、第２信号を出力する。
【００２６】
信号出力部２３は、Ｓ１０２でＮｏと判定されると、群管理装置３に対して信号を出力しない。即ち、信号出力部２３は、第１利用者が乗場１２にいることを検出部２１が検出しなければ、群管理装置３に対して信号を出力しない。
【００２７】
図４は、群管理装置３の動作例を示すフローチャートである。群管理装置３では、操作盤１４から登録要求が入力されると、呼び登録部３０が乗場呼びを登録する（Ｓ２０１）。判定部３１は、乗場１２からの呼びが登録されると、乗場１２に関して隔離条件が成立するか否かを判定する。隔離条件は、発熱している利用者を他の利用者から隔離するために予め設定された条件である。例えば、隔離条件は、第１利用者が乗場１２にいることを検出部２１が検出し且つ第２利用者が乗場１２にいることを検出部２２が検出すると成立する。
【００２８】
例えば、判定部３１は、Ｓ２０１で乗場１２からの呼びが登録されると、監視装置２から第１信号を受信しているか否かを判定する（Ｓ２０２）。監視装置２から第１信号を受信していれば、判定部３１は、隔離条件が成立したことを判定する。
【００２９】
運転指令部３２は、隔離条件が成立することを判定部３１が判定すると、第１利用者を目的階に運ぶための第１運転指令を制御装置７Ａに対して出力する。運転指令部３２は、隔離条件が成立することを判定部３１が判定すると、第２利用者を目的階に運ぶための第２運転指令を制御装置７Ｂに対して出力する（Ｓ２０３）。運転指令部３２は、Ａ号機の運転状況及びＢ号機の運転状況に応じて、第１運転指令を制御装置７Ｂに対して出力しても良い。かかる場合、運転指令部３２は、制御装置７Ａに対して第２運転指令を出力する。
【００３０】
また、隔離条件が成立することを判定部３１が判定すると、報知制御部３３は、第１利用者がかご５Ａに乗るための案内を報知器１５から報知させる（Ｓ２０４）。これにより、例えば「発熱している方を検知しました。発熱している方はＡ号機をご利用ください。」といったメッセージが、乗場１２に設けられた表示器に表示される。なお、運転指令部３２が制御装置７Ｂに対して第１運転指令を出力した場合、報知制御部３３は、第１利用者がかご５Ｂに乗るための案内を報知器１５から報知させる。
【００３１】
判定部３１は、Ｓ２０２でＮｏと判定すると、監視装置２から第２信号を受信しているか否かを判定する（Ｓ２０５）。監視装置２から第２信号を受信していれば、運転指令部３２は、第１利用者を目的階に運ぶための第１運転指令を制御装置７Ａ或いは制御装置７Ｂに対して出力する（Ｓ２０６）。Ｓ２０６では、運転指令部３２は、Ａ号機の運転状況及びＢ号機の運転状況に応じて、第１運転指令の出力先を決定する。
【００３２】
一方、Ｓ２０５で判定部３１がＮｏと判定すると、運転指令部３２は、第２利用者を目的階に運ぶための第２運転指令を制御装置７Ａ或いは制御装置７Ｂに対して出力する（Ｓ２０７）。Ｓ２０７では、運転指令部３２は、Ａ号機の運転状況及びＢ号機の運転状況に応じて、第２運転指令の出力先を決定する。
【００３３】
図５は、第１運転指令を受けた制御装置７の動作例を示すフローチャートである。以下においては、制御装置７Ａが群管理装置３から第１運転指令を受けた例について説明する。
【００３４】
制御装置７Ａは、群管理装置３から第１運転指令を受信すると、無人のかご５Ａを乗車階、即ち乗場１２に停止させる（Ｓ３０１）。制御装置７Ａは、かご５Ａが乗場１２に停止すると、ドア８Ａを開閉させる（Ｓ３０２）。これにより、Ｓ２０４の報知を聞いた第１利用者はかご５Ａに乗り、かご５Ａ内で目的階を入力する。
【００３５】
制御装置７Ａは、目的階が入力されると、乗車階から目的階への直行運転を行う（Ｓ３０３）。即ち、制御装置７Ａは、かご５Ａが目的階に到着するまで、かご５Ａを他の乗場呼びに応答させない。制御装置７Ａは、かご５Ａを目的階に停止させると（Ｓ３０４）、ドア８Ａを開閉させる（Ｓ３０５）。これにより、第１利用者はかご５Ａから降りる。
【００３６】
制御装置７Ａは、目的階でドア８Ａを閉じると、かご５Ａ内を除菌するための除菌動作を行う（Ｓ３０６）。例えば、制御装置７Ａは、Ｓ３０６において送風機１０を動作させることにより、かご５Ａ内の空気を入れ替える。他の例として、制御装置７Ａは、Ｓ３０６において除菌装置１１を動作させる。制御装置７Ａは、除菌動作が終了すると、かご５Ａを新規に登録された呼びに応答させる。
【００３７】
一方、群管理装置３から第２運転指令を受けた制御装置７Ｂでは、登録された呼びにかご５Ｂを順次応答させる通常の運転が行われる。乗場１２にいる第２利用者は、かご５Ｂに乗って目的階に移動する。
【００３８】
本実施の形態に示す例では、乗場１２からの呼びが登録された際に隔離条件が成立すると、第１利用者用にかご５Ａが乗場１２に停止し、第２利用者用にかご５Ｂが乗場１２に停止する。第１利用者と第２利用者とは、同じかご５に乗って目的階に移動する必要がない。したがって、本実施の形態に示すエレベーターシステム１であれば、かご５内でのインフルエンザ等の感染を予防することができる。本実施の形態に示すエレベーターシステム１は、例えば、病院等への適用が好適である。
【００３９】
監視装置２が有する機能の一部は、群管理装置３に備えられても良い。群管理装置３が有する機能の一部は、監視装置２に備えられても良い。また、乗場１２に他の装置を設け、この装置に、監視装置２が有する機能の一部或いは群管理装置３が有する機能の一部を備えても良い。
【００４０】
本実施の形態では、エレベーターシステム１が複数のエレベーター装置４を備える例について説明した。これは一例である。以下に、エレベーターシステム１が１台のエレベーター装置４を備える例について説明する。
【００４１】
図６は、実施の形態１におけるエレベーターシステム１の他の例を示す図である。図６に示す例では、エレベーターシステム１は、監視装置２を備える。また、かご５が停止する乗場１２に、カメラ１３、操作盤１４、及び報知器１５が設けられる。カメラ１３によって撮影された画像の情報は、監視装置２に入力される。監視装置２では、図３示す動作と同様の動作が行われる。例えば、信号出力部２３は、Ｓ１０４及びＳ１０５において、乗場１２の利用者状況を示す信号を制御装置７に出力する。
【００４２】
図６に示す例では、図１に示す例において群管理装置３が有していた機能の一部が制御装置７に備えられる。操作盤１４からの登録要求は、制御装置７に入力される。制御装置７は、呼び登録部３０、判定部３１、運転制御部３４、及び報知制御部３３を備える。
【００４３】
図７は、制御装置７の動作例を示すフローチャートである。図７のＳ４０１及びＳ４０２に示す処理は、図４のＳ２０１及びＳ２０２に示す処理と同様である。制御装置７では、操作盤１４から登録要求が入力されると、呼び登録部３０が乗場呼びを登録する（Ｓ４０１）。判定部３１は、乗場１２からの呼びが登録されると、乗場１２に関して隔離条件が成立するか否かを判定する。上述したように、隔離条件は、第１利用者が乗場１２にいることを検出部２１が検出し且つ第２利用者が乗場１２にいることを検出部２２が検出すると成立する。
【００４４】
例えば、判定部３１は、Ｓ４０１で乗場１２からの呼びが登録されると、監視装置２から第１信号を受信しているか否かを判定する（Ｓ４０２）。監視装置２から第１信号を受信していれば、判定部３１は、隔離条件が成立したことを判定する。
【００４５】
運転制御部３４は、隔離条件が成立することを判定部３１が判定すると、第１利用者を目的階に運ぶための第１運転と第２利用者を目的階に運ぶための第２運転とを順次行う（Ｓ４０３）。運転制御部３４は、第１運転の後に第２運転を行っても良いし、第２運転の後に第１運転を行っても良い。例えば、運転制御部３４は、Ｓ４０２でＹｅｓと判定された際の運転状況に応じて、第１運転を先に行うか第２運転を先に行うかを決定する。
【００４６】
また、隔離条件が成立することを判定部３１が判定すると、報知制御部３３は、第１運転が行われている時に第１利用者がかご５に乗るための案内を、報知器１５から報知させる（Ｓ４０４）。これにより、例えば「発熱している方を検知しました。発熱している方を優先して目的階に案内します。他の方は、ご乗車をお待ちください。」といったメッセージが、乗場１２に設けられた表示器に表示される。
【００４７】
判定部３１は、Ｓ４０２でＮｏと判定すると、監視装置２から第２信号を受信しているか否かを判定する（Ｓ４０５）。監視装置２から第２信号を受信していれば、運転制御部３４は、第１利用者を目的階に運ぶための第１運転を行う（Ｓ４０６）。一方、Ｓ４０５で判定部３１がＮｏと判定すると、運転制御部３４は、第２利用者を目的階に運ぶための第２運転を行う（Ｓ４０７）。
【００４８】
第１運転では、制御装置７は、図５に示す例と同様の動作を行う。例えば、運転制御部３４は、第１運転において乗車階から目的階への直行運転を行う。運転制御部３４は、上記直行運転において目的階でドア８を開閉した後、かご５内を除菌するための除菌動作を行う。
【００４９】
本実施の形態において、符号２０〜２３は、監視装置２が有する機能を示す。図８は、監視装置２のハードウェア資源の例を示す図である。監視装置２は、ハードウェア資源として、例えばプロセッサ４１とメモリ４２とを含む処理回路４０を備える。メモリ４２は、例えば半導体メモリである。メモリ４２は、半導体メモリでなくても良い。監視装置２は、メモリ４２に記憶されたプログラムをプロセッサ４１によって実行することにより、符号２０〜２３に示す各部の機能を実現する。
【００５０】
図９は、監視装置２のハードウェア資源の他の例を示す図である。図９に示す例では、監視装置２は、例えばプロセッサ４１、メモリ４２、及び専用ハードウェア４３を含む処理回路４０を備える。図９は、監視装置２が有する機能の一部を専用ハードウェア４３によって実現する例を示す。監視装置２が有する機能の全部を専用ハードウェア４３によって実現しても良い。専用ハードウェア４３として、単一回路、複合回路、プログラム化したプロセッサ、並列プログラム化したプロセッサ、ＡＳＩＣ、ＦＰＧＡ、又はこれらの組み合わせを採用できる。
【００５１】
同様に、図１に示す例において、符号３０〜３３は、群管理装置３が有する機能を示す。群管理装置３のハードウェア資源の例は、図８に示す例と同様である。例えば、群管理装置３は、ハードウェア資源として、プロセッサとメモリとを含む処理回路を備える。群管理装置３は、メモリに記憶されたプログラムをプロセッサによって実行することにより、符号３０〜３３に示す各部の機能を実現する。群管理装置３のハードウェア資源の例は、図９に示す例と同様であっても良い。かかる場合、群管理装置３は、例えばプロセッサ、メモリ、及び専用ハードウェアを含む処理回路を備える。即ち、群管理装置３が有する機能の一部を専用ハードウェアによって実現しても良い。また、監視装置２が有する機能の全部を専用ハードウェアによって実現しても良い。
【００５２】
図６に示す例において、符号３０、３１、３３、及び３４は、制御装置７が有する機能を示す。制御装置７のハードウェア資源の例は、図８に示す例と同様である。例えば、制御装置７は、ハードウェア資源として、プロセッサとメモリとを含む処理回路を備える。制御装置７は、メモリに記憶されたプログラムをプロセッサによって実行することにより、符号３０、３１、３３、及び３４に示す各部の機能を実現する。制御装置７のハードウェア資源の例は、図９に示す例と同様であっても良い。かかる場合、制御装置７は、例えばプロセッサ、メモリ、及び専用ハードウェアを含む処理回路を備える。即ち、制御装置７が有する機能の一部を専用ハードウェアによって実現しても良い。また、制御装置７が有する機能の全部を専用ハードウェアによって実現しても良い。
【産業上の利用可能性】
【００５３】
この発明は、例えば、乗場にカメラが設けられたエレベーターシステムに適用できる。
【符号の説明】
【００５４】
１  エレベーターシステム、  ２  監視装置、  ３  群管理装置、  ４  エレベーター装置、  ５  かご、  ６  駆動装置、  ７  制御装置、  ８  ドア、  ９  モータ、  １０  送風機、  １１  除菌装置、  １２  乗場、  １３  カメラ、  １４  操作盤、  １５  報知器、  ２０  画像解析部、  ２１  検出部、  ２２  検出部、  ２３  信号出力部、  ３０  呼び登録部、  ３１  判定部、  ３２  運転指令部、  ３３  報知制御部、  ３４  運転制御部、  ４０  処理回路、  ４１  プロセッサ、  ４２  メモリ、  ４３  専用ハードウェア
【要約】
エレベーターシステム（１）は、カメラ（１３）、制御装置（７Ａ）、制御装置（７Ｂ）、検出部（２１）、検出部（２２）、判定部（３１）、及び運転指令部（３２）を備える。運転指令部（３２）は、隔離条件が成立することを判定部（３１）が判定すると、第１運転指令を制御装置（７Ａ）に対して出力し、第２運転指令を制御装置（７Ｂ）に対して出力する。隔離条件は、発熱している第１利用者が乗場にいることを検出部（２１）が検出し且つ第１利用者以外の第２利用者が乗場にいることを検出部（２２）が検出すると成立する。【図１】
0006835263.tif 000002
【図２】
0006835263.tif 000003
【図３】
0006835263.tif 000004
【図４】
0006835263.tif 000005
【図５】
0006835263.tif 000006
【図６】
0006835263.tif 000007
【図７】
0006835263.tif 000008
【図８】
0006835263.tif 000009
【図９】
0006835263.tif 000010